(57)【要約】【課題】記録媒体を予め定めた方向に確実に搬送しつつ現像剤像を記録媒体に転写する。【解決手段】斜行ロール２２は、搬送力Ｆｇで記録媒体を搬送することにより、補正案内部材６４が記録媒体を案内する方向に分力Ｆｇ１を加え、案内方向に直交する方向に分力Ｆｇ２を加えている。また、斜行ロール２２は、帯状の領域である転写位置Ｔ内にある記録媒体上の点Ｐにも、分力Ｆｇ２の大きさに応じた力Ｆｇ３を加えている。転写ロール２８は、像保持体２６とともに記録媒体を挟持し、搬送力Ｆｔで記録媒体を搬送する。搬送力Ｆｔが反補正案内部材６４側に傾いている場合、転写ロール２８及び像保持体２６は、帯状の領域である転写位置Ｔ内にある記録媒体上の例えば点Ｐにも、分力Ｆｔ２を加えている。斜行ロール２２の搬送力Ｆｇは、力Ｆｇ３が分力Ｆｔ２よりも大きくなるように、設定されている。【選択図】図３
2010224203.tif 000002
【特許請求の範囲】
【請求項１】
像保持体と、
この像保持体が保持する静電潜像を現像剤で現像する現像手段と、
前記像保持体とともに記録媒体を転写位置で挟持しつつ搬送することにより、前記現像手段が現像した現像剤像を前記像保持体から記録媒体に転写する転写部材と、
この転写部材に対する記録媒体の姿勢を補正するように、前記転写位置に向けて記録媒体を案内する補正案内部材と、
この補正案内部材が記録媒体を案内する案内方向に直交する方向に前記転写位置で記録媒体に加える力が、前記像保持体及び前記転写部材が前記転写位置で記録媒体を搬送する力の前記案内方向に直交する方向の分力よりも大きくなるように、前記補正案内部材に記録媒体の搬送方向側端を突き当てる方向に力を加えつつ、前記転写位置に向けて記録媒体を搬送する搬送手段と、
を有する画像形成装置。
【請求項２】
前記転写部材は、
前記像保持体とともに記録媒体を挟持しつつ搬送する場合に、前記案内方向に直交する方向に弾性変形する
請求項１記載の画像形成装置。
【請求項３】
前記像保持体及び前記転写部材が記録媒体を搬送する搬送速度に対し、前記搬送手段が記録媒体を搬送する速度が予め定めた速度比となるように設定されている
請求項１又は２記載の画像形成装置。
【請求項４】
前記像保持体及び前記転写部材が記録媒体を搬送する搬送速度よりも、前記搬送手段が記録媒体を搬送する速度が遅くなるように設定されている
請求項１乃至３いずれか記載の画像形成装置。
【発明の詳細な説明】
【技術分野】
【０００１】
本発明は、画像形成装置に関するものである。
【背景技術】
【０００２】
特許文献１は、画像形成ステーションにて形成された画像をシート材に転写する際に、転写ローラとともにシート材を搬送する搬送手段が搬送方向に平行に設けられた基準部材にシート材を押し当てつつ搬送する画像形成装置を開示する。また、特許文献２は、レジストローラおよび搬送ローラによりカットシートを搬送する際に、レジストローラの回転周速が搬送ローラの回転周速より所定速度遅い周速とされた複写機を開示する。
【先行技術文献】
【特許文献】
【０００３】
【特許文献１】特開平１０−２３９９４５号公報
【特許文献２】特開平８−１８８３０１号公報
【発明の概要】
【発明が解決しようとする課題】
【０００４】
本発明は、記録媒体を予め定めた方向に確実に搬送しつつ現像剤像を記録媒体に転写することができる画像形成装置を提供することを目的とする。
【課題を解決するための手段】
【０００５】
上記目的を達成するため、請求項１に係る本発明は、像保持体と、この像保持体が保持する静電潜像を現像剤で現像する現像手段と、前記像保持体とともに記録媒体を転写位置で挟持しつつ搬送することにより、前記現像手段が現像した現像剤像を前記像保持体から記録媒体に転写する転写部材と、この転写部材に対する記録媒体の姿勢を補正するように、前記転写位置に向けて記録媒体を案内する補正案内部材と、この補正案内部材が記録媒体を案内する案内方向に直交する方向に前記転写位置で記録媒体に加える力が、前記像保持体及び前記転写部材が前記転写位置で記録媒体を搬送する力の前記案内方向に直交する方向の分力よりも大きくなるように、前記補正案内部材に記録媒体の搬送方向側端を突き当てる方向に力を加えつつ、前記転写位置に向けて記録媒体を搬送する搬送手段と、を有する画像形成装置である。
【０００６】
請求項２に係る本発明は、前記転写部材が、前記像保持体とともに記録媒体を挟持しつつ搬送する場合に、前記案内方向に直交する方向に弾性変形する請求項１記載の画像形成装置である。
【０００７】
請求項３に係る本発明は、前記像保持体及び前記転写部材が記録媒体を搬送する搬送速度に対し、前記搬送手段が記録媒体を搬送する速度が予め定めた速度比となるように設定されている請求項１又は２記載の画像形成装置である。
【０００８】
請求項４に係る本発明は、前記像保持体及び前記転写部材が記録媒体を搬送する搬送速度よりも、前記搬送手段が記録媒体を搬送する速度が遅くなるように設定されている請求項１乃至３いずれか記載の画像形成装置である。
【発明の効果】
【０００９】
請求項１に係る本発明によれば、本構成を有していない場合に比較して、記録媒体を予め定めた方向に確実に搬送しつつ現像剤像を記録媒体に転写することができる。
【００１０】
請求項２に係る本発明によれば、請求項１に係る本発明の効果に加えて、像保持体及び転写部材が転写位置で記録媒体を搬送する力が強い場合にも、本構成を有していない場合に比較して、記録媒体を予め定めた方向に確実に搬送しつつ現像剤像を記録媒体に転写することができる。
【００１１】
請求項３に係る本発明によれば、請求項１又は２に係る本発明の効果に加えて、本構成を有していない場合に比較して、搬送手段が記録媒体に加える力を転写位置まで伝達することができる。
【００１２】
請求項４に係る本発明によれば、請求項１乃至３いずれかに係る本発明の効果に加えて、本構成を有していない場合に比較して、搬送手段が記録媒体に加える力を転写位置まで確実に伝達することができる。
【図面の簡単な説明】
【００１３】
【図１】本発明の実施形態に係る画像形成装置の概要を示す側面図である。
【図２】斜行ロールと、転写ロール及び像保持体とが記録媒体を搬送した結果を示す模式図であって、（Ａ）は転写時の記録媒体の搬送方向を示す模式図であり、（Ｂ）は搬送結果に応じて形成された複数色の現像剤像を例示する模式図である。
【図３】斜行ロールが記録媒体に加える力と、転写ロール（及び像保持体）が記録媒体に加える力との関係を示す模式図である。
【図４】斜行ロールが点Ｐに加える力Ｆｇ３と、転写ロール（及び像保持体）が記録媒体に加える力の分力Ｆｔ２との関係を示す模式図である。
【図５】斜行ロールが点Ｐに加える力Ｆｇ３と、転写ロール（及び像保持体）が記録媒体に加える力の分力Ｆｔ２との関係の他の形態を示す模式図である。
【図６】本発明に対する比較例を模式的に示す図であって、（Ａ）〜（Ｃ）は転写ロール及び像保持体と、斜行ロールとによって搬送される記録媒体の移動方向を例示する模式図であり、（Ｄ）は記録媒体が予め定めた搬送方向とは異なる方向に移動した場合に重ねて形成される異なる色の現像剤像を示す模式図である。
【図７】斜行ロールの変形例をそれぞれ示す正面図である。
【図８】分力Ｆｔ２の測定方法を例示する模式図である。
【図９】力Ｆｇ３の測定方法を例示する模式図である。
【発明を実施するための形態】
【００１４】
次に本発明の実施形態を図面に基づいて説明する。
図１において、本発明の実施形態に係る画像形成装置１０の概要が示されている。画像形成装置１０は、画像形成装置本体１２を有し、この画像形成装置本体１２の下部に例えば１段の給紙ユニット１４が配置されている。
【００１５】
給紙ユニット１４は、用紙などの記録媒体が収容される給紙カセット１６を有する。給紙カセット１６は、複数の異なる種類の記録媒体を供給可能にされている。給紙カセット１６の上部には、給紙カセット１６から記録媒体を取り出す取り出しロール１８が配置されている。
【００１６】
取り出しロール１８は、図示しない駆動部によって駆動され、記録媒体を第１の搬送路２０に向けて供給するように回転する。第１の搬送路２０は、取り出しロール１８から斜行ロール２２までの記録媒体通路である。
【００１７】
斜行ロール２２は、例えば硬度が４０°以下にされ、ロールの直径が例えば１２〜３０ｍｍにされたウレタンなどの部材からなる。この斜行ロール２２は、図２（Ａ）に示すように、補正案内部材６４に記録媒体の搬送方向側端を突き当てる方向に力を加えつつ、補正案内部材６４とともに記録媒体の姿勢を補正するように、転写位置Ｔ（図１）に向けて記録媒体を搬送する（図３等を用いて詳述）。例えば、記録媒体が搬送方向に対して傾いて斜行ロール２２に到達すると、斜行ロール２２は、記録媒体を挟持しつつ補正案内部材６４に向けて搬送し、記録媒体の搬送方向後端側を先に補正案内部材６４に接触させる。さらに斜行ロール２２が記録媒体を補正案内部材６４側に向けて搬送すると、記録媒体は、補正案内部材６４に沿って移動するように、補正案内部材６４に案内される。つまり、記録媒体は、側縁が予め定められた位置に揃えられ、補正案内部材６４に沿って予め定められた搬送方向（案内方向）に搬送される。
【００１８】
また、第１の搬送路２０（図１）は、後述する第２の搬送路３２の一部と、第３の搬送路４０とによって排出口２５までの記録媒体通路を構成している。この記録媒体通路の定着装置６０の上流側には像保持体２６と、例えば表面に弾性を有する転写ロール２８とが配置され、像保持体２６と転写ロール２８の上流側に上述した斜行ロール２２が配置されている。像保持体２６と転写ロール２８とが接触部分は、像保持体２６が保持する現像剤像を記録媒体に転写する転写位置Ｔ（帯状領域であるニップ部）となっている。
なお、像保持体２６及び転写ロール２８は、記録媒体を挟持して搬送し、斜行ロール２２が記録媒体を搬送する速度よりも速い速度（予め定めた速度比）で記録媒体を搬送するように設定されている。
【００１９】
斜行ロール２２の下流側には後述する露光装置５８が静電潜像を像保持体２６に書き込むタイミングを制御するためのセンサ（露光タイミングセンサ）２４が配置されている。センサ２４は、記録媒体の搬送方向先端を検出した場合（記録媒体の通過を検出した場合）に検出結果を後述する制御部６２に対して出力する光センサである。
【００２０】
第２の搬送路３２は、記録媒体が斜行ロール２２から転写位置Ｔ及び定着装置６０を通って再び斜行ロール２２まで周回するように記録媒体を搬送する周回搬送路である。なお、第２の搬送路３２には、定着装置６０を通った記録媒体を斜行ロール２２に向けて搬送する例えば搬送ロール３４が設けられている。搬送ロール３４は、定着装置６０が現像剤像を定着させた記録媒体を斜行ロール２２に向けて挟持しつつ搬送する。
【００２１】
第２の搬送路３２の定着装置６０の下流側には、切換装置３８が設けられており、第２の搬送路３２から切換装置３８により分岐して排出口２５まで続く第３の搬送路４０が形成されている。第３の搬送路４０の排出口２５の近傍には排出ロール４２が配置されている。
【００２２】
したがって、給紙ユニット１４の給紙カセット１６から取り出しロール１８により取り出された記録媒体は、第１の搬送路２０に導かれ、斜行ロール２２及び補正案内部材６４により姿勢が補正され、像保持体２６と転写ロール２８との間を通って例えば黒色の現像剤像が転写され、この転写された黒色の現像剤像が定着装置６０により定着され、排出ロール４２により排出口２５から排出される。
【００２３】
ただし、カラー印刷の場合には、切換装置３８が切り換えられて、記録媒体は第２の搬送路３２を通って周回し、斜行ロール２２を合計４回通過する。つまり、記録媒体は、斜行ロール２２、転写位置Ｔ及び定着装置６０を合計４回通って排出口２５から排出されるものである。
【００２４】
画像形成装置本体１２には、例えば略中央下部にロータリ現像装置４４が配置されている。ロータリ現像装置４４は、イエロー（Ｙｅｌｌｏｗ）、マゼンタ（Ｍａｇｅｎｔａ）、シアン（Ｃｙａｎ）及び黒（Ｂｌａｃｋ）の４色の現像剤を個別に収容する現像器４６ａ〜４６ｄを有する。現像器４６ａ〜４６ｄは、現像ロール４８ａ〜４８ｄと、着脱自在にされた現像剤収容器５０ａ〜５０ｄとをそれぞれ有し、現像剤収容器５０ａ〜５０ｄが収容する現像剤を現像ロール４８ａ〜４８ｄに個別に供給し、像保持体２６が保持する静電潜像を各色の現像剤で順次に現像する。
【００２５】
像保持体２６の正面側には、該像保持体２６を一様帯電する例えば帯電ロールからなる帯電装置５２が設けられている。また、像保持体２６には、該像保持体２６の回転方向の帯電装置５２よりも上流側に像保持体用クリーナ５４が接触している。像保持体用クリーナ５４は、転写後に像保持体２６に残留する現像剤を掻き取る。また、像保持体用クリーナ５４の正面側には、像保持体用クリーナ５４が掻き取った現像剤を回収する現像剤回収器５６が着脱自在に設けられている。
【００２６】
ロータリ現像装置４４と現像剤回収器５６との間には、帯電装置５２により帯電された像保持体２６に、レーザ光などの光線により静電潜像を書き込む露光装置５８が配置されている。また、像保持体２６の背面側には、上述した転写ロール２８が位置する。転写ロール２８は、例えば硬度が４０°以下にされ、ロールの直径が例えば１２〜２０ｍｍにされた発泡ウレタンなどの部材からなる。この転写ロール２８は、像保持体２６とともに記録媒体を転写位置Ｔで挟持しつつ搬送することにより、現像器４６ａ〜４６ｄによって現像された現像剤像を転写位置Ｔで像保持体２６から記録媒体に順次重ねて転写する。
例えば、像保持体２６から１色目の現像剤像を転写された記録媒体は、転写ロール２８が２色目の現像剤像の転写を開始しても、斜行ロール２２が補正案内部材６４に記録媒体の搬送方向側端を突き当てる方向に力を加えつつ、転写位置Ｔに向けて記録媒体を搬送することにより、図２（Ｂ）に例示するように、異なる色の現像剤像（例えば端部を含む）が略同じ位置に重ねられるように転写される。
【００２７】
転写位置Ｔの下流には、定着装置６０が配置されている。定着装置６０は、加熱ロールと加圧ロールとを有し、像保持体２６と転写ロール２８により現像剤像を転写された記録媒体を加熱ロールと加圧ロールとの接触部分（ニップ部：定着位置）で挟持しつつ搬送し、現像剤像に熱と圧力とを加えて記録媒体に現像剤像を定着させる。
【００２８】
また、画像形成装置本体１２内には、画像形成装置１０を構成する各部を制御する制御部６２が配置されている。
【００２９】
次に、斜行ロール２２が記録媒体に加える力と、転写ロール２８が記録媒体に加える力との関係について詳述する。
図３は、斜行ロール２２が記録媒体に加える力と、転写ロール２８（及び像保持体２６）が記録媒体に加える力との関係を示す模式図である。
図３に示すように、斜行ロール２２は、搬送力Ｆｇで記録媒体を搬送することにより、補正案内部材６４に記録媒体の搬送方向側端を突き当てる方向に力を加えつつ、転写位置Ｔに向けて記録媒体を搬送する。つまり、斜行ロール２２は、補正案内部材６４が記録媒体を案内する方向（案内方向）に分力Ｆｇ１を加え、案内方向に直交する方向に分力Ｆｇ２を加えている。また、斜行ロール２２は、記録媒体全体に対して力を加えており、帯状の領域である転写位置Ｔ内にある記録媒体上の例えば点Ｐにも、分力Ｆｇ２の大きさに応じた力Ｆｇ３を加えている。
【００３０】
一方、転写ロール２８は、像保持体２６とともに記録媒体を挟持し、搬送力Ｆｔで記録媒体を搬送する。ただし、転写ロール２８は、補正案内部材６４が設けられていない方向（反補正案内部材６４側）に搬送力Ｆｔの方向が傾く場合がある（図６参照）。図３に示すように、補正案内部材６４が記録媒体を案内する方向（案内方向）に対して搬送力Ｆｔが反補正案内部材６４側に傾いている場合、転写ロール２８及び像保持体２６は、案内方向に分力Ｆｔ１を加え、案内方向に直交する方向に分力Ｆｔ２を加えている。即ち、転写ロール２８及び像保持体２６は、記録媒体全体に対して力を加えており、帯状の領域である転写位置Ｔ内にある記録媒体上の例えば点Ｐにも、分力Ｆｔ２を加えている。
【００３１】
ここで、斜行ロール２２が点Ｐに加える力Ｆｇ３は、転写ロール２８が点Ｐに加える分力Ｆｔ２に対して逆方向になっている。また、力Ｆｇ３が分力Ｆｔ２よりも大きくなるように、斜行ロール２２の搬送力Ｆｇは設定されている。つまり、力Ｆｇ３は、斜行ロール２２の分力Ｆｇ２の大きさに応じて転写位置Ｔにある記録媒体上の点に伝達される力であり、図４にも示すように、分力（反補正案内部材６４側への応力）Ｆｔ２よりも大きく、記録媒体を補正案内部材６４に突き当て続けるように作用する記録媒体拘束力となっている。
【００３２】
また、図５に示すように、転写ロール２８は、上述したように弾性を有し、弾性率（弾性係数）Ｋと転写ロール２８の変形量Ｌとの積（＝Ｆｔ２）が力（記録媒体拘束力）Ｆｇ３よりも小さくなるように、弾性率Ｋが設定されてもよい。
【００３３】
図６は、本発明に対する比較例を模式的に示す図であって、（Ａ）〜（Ｃ）は転写ロール２８及び像保持体２６と、斜行ロール２２とによって搬送される記録媒体の移動方向を例示する模式図であり、（Ｄ）は記録媒体が予め定めた搬送方向とは異なる方向に移動した場合に重ねて形成される異なる色の現像剤像を示す模式図である。
【００３４】
図６（Ａ）に示すように、記録媒体を予め定めた方向に案内する案内部材に向けて斜行ロールが記録媒体に搬送力を加えても、案内部材から離れる方向に転写ロールが斜行ロールよりも強い力で記録媒体を補正案内部材から遠ざける方向に搬送力を加えると、記録媒体は案内部材が案内する方向とは異なる方向に移動する。
【００３５】
また、図６（Ｂ）に示すように、記録媒体を予め定めた方向に案内する案内部材に向けて斜行ロールが記録媒体に搬送力を加えても、転写ロールの記録媒体に対する接触圧（ニップ圧）が両端で異なると、記録媒体は案内部材が案内する方向とは異なる方向に移動する。
【００３６】
また、図６（Ｃ）に示すように、記録媒体を予め定めた方向に案内する案内部材に向けて斜行ロールが記録媒体に搬送力を加えても、転写ロールと斜行ロールとの間で記録媒体が撓んでしまうと、転写位置の記録媒体に斜行ロールの搬送力が十分に伝達されず、記録媒体は案内部材が案内する方向とは異なる方向に移動する。
【００３７】
案内部材が案内する方向とは異なる方向に記録媒体が移動すると、図６（Ｄ）に例示するように、各現像剤像の位置及び形状などがずれてしまう。
【００３８】
次に画像形成装置１０の全体動作（カラー印刷）について説明する。
画像形成信号が送られると、像保持体２６が帯電装置５２により一様に帯電され、この帯電された像保持体２６には、画像信号に基づいて露光装置５８からイエローの画像に対応する光線が出射される。露光装置５８からの光線は、像保持体２６の表面を露光し、静電潜像が形成される。
【００３９】
像保持体２６に保持された静電潜像は、現像器４６ａの現像ロール４８ａに供給されるイエローの現像剤で現像され、給紙ユニット１４から供給された記録媒体に転写される。イエローの現像剤像を転写された記録媒体は、定着装置６０に導かれ、加熱ロールと加圧ロールとによって現像剤像を定着される。
【００４０】
ここで、イエローの現像剤像が定着した記録媒体は、切換装置３８によって搬送ロール３４に向けて案内される。搬送ロール３４は、斜行ロール２２に向けて記録媒体を搬送する。
【００４１】
像保持体２６に残留する現像剤は、像保持体用クリーナ５４により掻き取られ、現像剤回収器５６に回収される。
【００４２】
そして再び像保持体２６が帯電装置５２により一様に帯電され、この帯電された像保持体２６には、画像信号に基づいて露光装置５８からマゼンタの画像に対応する光線が出射される。露光装置５８からの光線は、像保持体２６の表面を露光し、静電潜像が形成される。
【００４３】
像保持体２６に保持された静電潜像は、現像器４６ｂの現像ロール４８ｂに供給されるマゼンタの現像剤で現像され、制御部６２の制御により搬送ロール３４に搬送されて斜行ロール２２及び補正案内部材６４に姿勢を補正された記録媒体に重ねて転写される。
【００４４】
マゼンタの現像剤像を転写された記録媒体は、定着装置６０に導かれ、加熱ロールと加圧ロールとによって現像剤像を定着される。マゼンタの現像剤像が定着した記録媒体は、切換装置３８によって搬送ロール３４に向けて案内される。像保持体２６に残留する現像剤は、像保持体用クリーナ５４により掻き取られ、現像剤回収器５６に回収される。
【００４５】
記録媒体が搬送ロール３４に向けて合計３回戻されることにより、イエロー及びマゼンタの現像剤像と同様に、シアン及び黒の現像剤により現像された現像剤像が定着装置６０によって記録媒体に定着されると、記録媒体上で現像剤像が重ね合わされたカラー画像が形成される。カラー画像が定着した記録媒体は、切換装置３８によって排出ロール２４に導かれて排出される。
【００４６】
次に、斜行ロール２２の変形例について説明する。
図７（Ａ）〜（Ｃ）は、それぞれ斜行ロール２２の変形例を示す正面図である。図７（Ａ）に示すように、斜行ロール２２は、記録媒体に接する幅が狭い部材が複数設けられることによって構成されてもよい。また、図７（Ｂ）に示すように、斜行ロール２２は、記録媒体に接する幅が広い１つのゴムロールのように構成されてもよい。また、図７（Ｃ）に示すように、斜行ロール２２は、記録媒体に接する幅が狭いヒダ状の部分が複数設けられた１つのロールとして構成されてもよい。
なお、斜行ロール２２の幅（軸方向の長さ）は、例えば２〜２５０ｍｍの範囲に設定される。
【００４７】
次に、分力Ｆｔ２及び力（記録媒体拘束力）Ｆｇ３の測定方法について説明する。
図８は、分力Ｆｔ２の測定方法を例示する模式図である。
図８に例示するように、転写位置Ｔに含まれる点Ｐに対し、転写ロール２８及び像保持体２６が加える搬送力Ｆｔの分力Ｆｔ２は、板状部材Ｍ１及びセンサＳ１を介して測定される。板状部材Ｍ１は、記録媒体の点Ｐを含む領域（転写位置Ｔに対応）の記録媒体搬送方向側端（案内方向に平行な反補正案内部材６４側の記録媒体の端部）に接触するように設けられ、記録媒体から受ける力に応じて変位可能にされている。センサＳ１は、荷重（力）を電気信号に変換する荷重変換器であり、板状部材Ｍ１がセンサＳ１を押す力を検出することにより、分力Ｆｔ２を検出する。
【００４８】
図９は、力Ｆｇ３の測定方法を例示する模式図である。
図９に例示するように、転写位置Ｔに含まれる点Ｐに対し、斜行ロール２２が加える力Ｆｇ３は、板状部材Ｍ２及びセンサＳ２を介して測定される。このとき像保持体２６と転写ロール２８は離間した状態にする。板状部材Ｍ２は、記録媒体の点Ｐを含む領域（転写位置Ｔに対応）の記録媒体搬送方向側端（案内方向に平行な補正案内部材６４側の記録媒体の端部）に接触するように設けられ、記録媒体から受ける力に応じて変位可能にされている。センサＳ２は、荷重（力）を電気信号に変換する荷重変換器であり、板状部材Ｍ２がセンサＳ２を押す力を検出することにより、力Ｆｇ３を検出する。
【００４９】
なお、板状部材Ｍ１、Ｍ２及びセンサＳ１、Ｓ２は、画像形成装置１０内に配置されてもよいし、画像形成装置１０に対して取付け可能にされてもよい。
【００５０】
また、上記実施形態においては、記録媒体が周回搬送路を周回するように搬送されて複数色の現像剤像が順次転写される場合を例に説明したが、これに限定されることなく、例えば画像形成装置１０は、搬送ベルトによって記録媒体を搬送して複数色の現像剤像を順次転写するいわゆるタンデム式の画像形成装置であってもよいし、単色の現像剤像のみを転写する画像形成装置であってもよい。
【符号の説明】
【００５１】
１０    画像形成装置
２２    斜行ロール
２６    像保持体
２８    転写ロール
４４    ロータリ現像装置
６４    補正案内部材
【図１】
2010224203.tif 000003
【図２】
2010224203.tif 000004
【図３】
2010224203.tif 000005
【図４】
2010224203.tif 000006
【図５】
2010224203.tif 000007
【図６】
2010224203.tif 000008
【図７】
2010224203.tif 000009
【図８】
2010224203.tif 000010
【図９】
2010224203.tif 000011